(57)【要約】【課題】施設の窓口付近等における混雑を低減する。【解決手段】セキュリティゲート（１）は、所定の施設の床（５００）に配置されるプレート（１０）と、プレート（１０）に立てられる支柱（２０）と、を備え、プレート（１０）における支柱（２０）が取付けられる側の面には、通路（３００）の通行可否に係る判定結果を表示する第１表示部（１０ｃ）が設けられている。【選択図】図１
2018128918.tif 000002
【特許請求の範囲】
【請求項１】
所定の施設の床に配置されるプレートと、
上記プレートに立てられる支柱と、を備えており、
上記プレートにおける上記支柱が取付けられる側の面には、上記所定の施設の利用者の、上記プレートおよび上記支柱により形成された通路の通行可否に係る判定結果を表示する第１表示部が設けられていることを特徴とするセキュリティゲート。
【請求項２】
上記支柱には、ポールパーテーションのロープ、ベルトまたはチェーンを引っ掛けるための係止部が設けられていることを特徴とする請求項１に記載のセキュリティゲート。
【請求項３】
上記支柱には、上記判定結果を表示する第２表示部が設けられていることを特徴とする請求項１または２に記載のセキュリティゲート。
【請求項４】
上記支柱には、回動することにより上記通路を開閉するフラップが設けられていることを特徴とする請求項１から３のいずれか１項に記載のセキュリティゲート。
【請求項５】
上記支柱には、
上記判定結果を表示する第２表示部と、
回動することにより上記通路を開閉するフラップと、が設けられており、
上記判定結果に係る通行可否情報を受信することにより、上記第１表示部および上記第２表示部のそれぞれに上記判定結果を表示させるとともに、上記通行可否情報に基づいて、上記フラップの回動を制御する制御部をさらに備えていることを特徴とする請求項１または２に記載のセキュリティゲート。
【請求項６】
上記第２表示部は、上記通路の通行後に上記利用者が進行すべき方向を表示することを特徴とする請求項３または５に記載のセキュリティゲート。
【請求項７】
上記支柱には、上記利用者が上記所定の施設に入場する権利を有しているか否かを確認するための認証部が設けられていることを特徴とする請求項１から６のいずれか１項に記載のセキュリティゲート。
【請求項８】
上記プレートには、
上記セキュリティゲートと外部電源とを電気的に接続するための電源接続部と、
上記支柱が連結される第１連結部と、が設けられており、
上記第１連結部、および上記支柱における上記第１連結部と連結する第２連結部のそれぞれには、上記プレートと上記支柱とを導通させるための導通部位が設けられていることを特徴とする請求項１から７のいずれか１項に記載のセキュリティゲート。
【請求項９】
請求項８に記載のセキュリティゲートを複数含んだセキュリティゲートユニットであって、
上記床に配置された状態において隣り合う２つの上記プレートが、互いに連結可能であることを特徴とするセキュリティゲートユニット。
【発明の詳細な説明】
【技術分野】
【０００１】
本発明は、セキュリティゲートおよびセキュリティゲートユニットに関する。
【背景技術】
【０００２】
従来から、大勢の人が通行する駅の改札口では、時間帯等によっては人が過度に集中し、改札ゲート通過時の乗車券（ＩＣカード）のチェックに起因して駅が混雑するという問題が生じていた。そこで、この問題を解決すべく、様々な技術の研究・開発が進められている。例えば、特許文献１には、表示部および改札情報送受信部を具備する、駅のコンコースの特定エリアの床に敷設される床ユニットと、改札情報送受信部との通信が可能な改札情報記録媒体とが設けられたフリーゲート改札システムが開示されている。このフリーゲート改札システムにおいて、床ユニットの表示部は、改札情報記録媒体が有効であれば青色光または緑色光で表示し、有効でなければ赤色光または黄色光で表示する。
【先行技術文献】
【特許文献】
【０００３】
【特許文献１】特許第５７６２９８８号明細書（２０１５年８月１２日発行）
【発明の概要】
【発明が解決しようとする課題】
【０００４】
しかしながら、特許文献１に開示されたフリーゲート改札システムにおいては、駅の改札口に導入することを前提に開発されたものであり、利用者が乗車券等の改札情報記録媒体を所持していることが必要となる。換言すれば、本システムは改札情報記録媒体が必須の構成要素となる。したがって、本システムを、改札情報記録媒体を所持する必要がない、駅の各窓口または駅以外の施設に適用することは困難である。それゆえ、上記改札口以外の場所・施設においては混雑が依然として解消されず、利用者が快適・便利に利用できないという問題点があった。
【０００５】
本発明の一態様は、上記の問題点に鑑みてなされたものであり、その目的は、施設の窓口付近等における混雑を低減し、利用者が快適・便利に施設を利用できるセキュリティゲートを実現することにある。
【課題を解決するための手段】
【０００６】
上記の課題を解決するために、本発明の一態様に係るセキュリティゲートは、所定の施設の床に配置されるプレートと、上記プレートに立てられる支柱と、を備えており、上記プレートにおける上記支柱が取付けられる側の面には、上記所定の施設の利用者の、上記プレートおよび上記支柱により形成された通路の通行可否に係る判定結果を表示する第１表示部が設けられている。
【０００７】
近年では、例えば各種施設の窓口付近で順番待ちしているほとんどの利用者は、待機している間、スマートフォンをはじめとする携帯端末を操作している。このような場合、利用者の視線は、上記各種施設の床に向けられていることが多い。その点、上記構成によれば、プレートに設けられた第１表示部には、所定の施設の利用者の、プレートおよび支柱により形成された通路の通行可否に係る判定結果が表示される。この場合、該判定結果が判明するのを待つ利用者は、プレートの上、もしくは近傍に立って待機することとなる。
【０００８】
したがって、例えば、利用者が視線を施設の床に向けて携帯端末を操作しつつ、通路の通行可否に係る判定結果が判明するのを待っている場合でも、判定結果が第１表示部に表示されることで、利用者は高い確率で判定結果を視認することができる。それゆえ、利用者が通路の通行可否に係る判定結果が判明したことに気付かないケースを効果的に低減することができ、利用者の無駄な待機時間を削減することができる。
【０００９】
以上より、施設の窓口付近等における混雑を低減し、利用者が快適・便利に施設を利用できるセキュリティゲートを実現することができる。
【００１０】
また、上記の課題を解決するために、本発明の一態様に係るセキュリティゲートにおいて、上記支柱には、ポールパーテーションのロープ、ベルトまたはチェーンを引っ掛けるための係止部が設けられている。
【００１１】
上記構成によれば、ポールパーテーションのロープ（またはベルト、チェーン）を支柱の係止部に引っ掛けてポールパーテーションを施設の床に設置することにより、プレートおよび支柱により形成された通路と、該通路と隣り合う領域とを物理的に仕切ることができる。それゆえ、セキュリティゲート付近にできる複数の利用者の行列を効果的に整理・誘導することができることから、施設の窓口付近等における混雑がより低減され、利用者がより快適・便利に施設を利用することができる。
【００１２】
また、上記の課題を解決するために、本発明の一態様に係るセキュリティゲートにおいて、上記支柱には、上記判定結果を表示する第２表示部が設けられている。
【００１３】
上記構成によれば、例えば、第１表示部の表示によって通行可能の判定結果を認識した利用者が通路通行後の行先を探している場合、該行先を認識し易いように施設の窓口番号等を第２表示部に表示させることで、利用者はより円滑に行先に進行できるようになる。
【００１４】
また、上記の課題を解決するために、本発明の一態様において、上記支柱には、回動することにより上記通路を開閉するフラップが設けられている。
【００１５】
上記構成によれば、例えば、通路の通行可否に係る判定結果が判明しているにも拘らず、利用者が第１表示部および第２表示部を見なかった場合でも、利用者はフラップの開閉状態を見て通路の通行可否を認識することができる。それゆえ、施設の窓口付近等における混雑がより低減され、利用者がより快適・便利に施設を利用することができる。
【００１６】
さらには、利用者が通行不可であることを認識することなく誤って通路を通行しようとしても、フラップが閉じた状態になっていることから、利用者の誤った通路進入を物理的に阻止することができる。
【００１７】
また、上記の課題を解決するために、本発明の一態様に係るセキュリティゲートにおいて、上記支柱には、上記判定結果を表示する第２表示部と、回動することにより上記通路を開閉するフラップと、が設けられており、上記判定結果に係る通行可否情報を受信することにより、上記第１表示部および上記第２表示部のそれぞれに上記判定結果を表示させるとともに、上記通行可否情報に基づいて、上記フラップの回動を制御する制御部をさらに備えている。
【００１８】
上記構成によれば、制御部は、通行可否情報として、例えば施設窓口の係員が操作する通信装置から無線送信された窓口番号情報（係員対応可能な窓口の窓口番号を含む）を受信することにより、第１・２表示部に通行許可を示す表示を表示させることができる。また、制御部は、上記窓口番号情報の受信によって自動的にフラップが開くよう、該フラップの回動を制御することができる。
【００１９】
それゆえ、例えば、係員が窓口の混雑状況を見極めながら適切なタイミングで窓口番号情報を送信することにより、施設の窓口付近等における混雑を効果的に低減させることができる。
【００２０】
また、上記の課題を解決するために、本発明の一態様に係るセキュリティゲートにおいて、上記第２表示部は、上記通路の通行後に上記利用者が進行すべき方向を表示する。
【００２１】
上記構成によれば、第１表示部に通行可能の判定結果が表示された場合において、利用者が通路通行後に進行すベき行先の場所が分からなくても、利用者は、第２表示部を見ることで進行すべき方向を認識することができる。それゆえ、通行可能の判定結果を認識した利用者が行先に確実に向かうことができることから、施設の窓口付近等における混雑がより低減され、利用者がより快適・便利に施設を利用することができる。
【００２２】
また、上記の課題を解決するために、本発明の一態様に係るセキュリティゲートは、上記支柱には、上記利用者が上記所定の施設に入場する権利を有しているか否かを確認するための認証部が設けられている。
【００２３】
上記構成によれば、認証部を介して得られた、利用者がイベント会場に入場する権利を有しているか否の確認結果に基づいて、通路の通行可否を判定することができる。それゆえ、支柱に認証部を設けることで、上記確認結果に基づいて少なくとも第１表示部に通路の通行可否の判定結果を表示させることができる。
【００２４】
また、上記の課題を解決するために、本発明の一態様に係るセキュリティゲートにおいて、上記プレートから、上記支柱を取り外すことが可能である。
【００２５】
上記構成によれば、プレートから支柱を取り外した上で、これらをまとめて運搬することができる。それゆえ、運搬が容易であるとともに、様々な施設に設置することができるセキュリティゲートを実現することができる。また、プレートおよび支柱をまとめることで、これらをコンパクトなスペースにも保管できることから、様々な広さのスペースに保管できるセキュリティゲートを実現することができる。
【００２６】
また、上記の課題を解決するために、本発明の一態様に係るセキュリティゲートにおいて、上記プレートには、上記セキュリティゲートと外部電源とを電気的に接続するための電源接続部と、上記支柱が連結される第１連結部と、が設けられており、上記第１連結部、および上記支柱における上記第１連結部と連結する第２連結部のそれぞれには、上記プレートと上記支柱とを導通させるための導通部位が設けられている。
【００２７】
上記構成によれば、プレートの第１連結部に支柱の第２連結部を連結させ、プレートの電源接続部に外部電源を接続するだけでセキュリティゲートは作動可能となる。それゆえ、簡易な設置作業で作動可能となるセキュリティゲートを実現することができる。
【００２８】
また、上記の課題を解決するために、本発明の一態様に係るセキュリティゲートユニットは、本発明の一態様に係るセキュリティゲートを複数含んだセキュリティゲートユニットであって、上記床に配置された状態において隣り合う２つの上記プレートが、互いに連結可能である。
【００２９】
上記構成によれば、運搬が容易であるとともに様々な施設に設置することができ、かつ様々な広さのスペースに保管できるセキュリティゲートユニットを実現することができる。また、多数の利用者を収容可能な大規模施設においても、該大規模施設の窓口付近等における混雑を低減し、利用者が快適・便利に大規模施設を利用できるセキュリティゲートを実現することができる。
【００３０】
さらに、上記構成によれは、床に配置された状態において隣り合う２つのプレートが互いに連結可能である。それゆえ、複数のプレートを全て連結させるとともに該複数のプレートの全てに支柱を取付けるだけでセキュリティゲートの組み立てが完了することから、簡易な作業で組み立てることができるセキュリティゲートユニットを実現することができる。
【００３１】
また例えば、連結する２つのプレートのそれぞれの連結面に導通部位を設け、組立後のセキュリティゲートユニットにおいて最も端に配置されるプレートに電源接続部を設けることで、簡易な作業で作動可能となるセキュリティゲートユニットを実現することができる。すなわち、セキュリティゲートユニットを組み立てた後に電源接続部に外部電源を接続するだけで、セキュリティゲートユニットは作動可能となる。
【発明の効果】
【００３２】
本発明の一態様によれば、プレートに設けられた第１表示部が通路の通行可否に係る判定結果を表示することから、施設の窓口付近等における混雑を低減し、利用者が快適・便利に施設を利用できるセキュリティゲートを実現することができる。
【図面の簡単な説明】
【００３３】
【図１】本発明の実施形態１に係るセキュリティゲートユニットの概略図である。
【図２】本発明の実施形態１に係るセキュリティゲートの機能的構成を示す機能ブロック図である。
【図３】上記セキュリティゲートの機能的構成の他の例を示す機能ブロック図である。
【図４】（ａ）は、上記セキュリティゲートユニットの保管場所の一例を示す図である。（ｂ）は、上記セキュリティゲートユニットの収納態様の一例を示す図である。（ｃ）は、上記セキュリティゲートユニットの組み立て方法の一例を示す図である。
【図５】（ａ）は、上記セキュリティゲートが通行可能となった場合における、通行プロセス毎の第１・第２表示部の表示態様の一例を示す表である。（ｂ）は、上記セキュリティゲートが通行不可の場合における、通行プロセス毎の第１・第２表示部の表示態様の一例を示す表である。
【図６】上記セキュリティゲートの特徴的な動作の流れの一例を示すフローチャートである。
【図７】本発明の実施形態２に係るセキュリティゲートの概略図である。
【図８】上記セキュリティゲートにおける、各表示部の表示態様およびフラップの回動態様の一例を示す図である。
【図９】上記セキュリティゲートの機能的構成を示す機能ブロック図である。
【図１０】上記セキュリティゲートが通行可能となった場合における、通行プロセス毎の第１表示部、第２メイン表示部および第２サブ表示部の表示態様の一例を示す表である。
【図１１】上記セキュリティゲートの特徴的な動作の流れの一例を示すフローチャートである。
【発明を実施するための形態】
【００３４】
〔実施形態１〕
以下、本発明の実施の形態について、図１〜図６に基づいて詳細に説明する。説明の便宜上、特定の項目にて説明した構成と同一の機能を有する構成については、同一の符号を付記し、その説明を省略する。
【００３５】
なお、以下の説明では、実施形態１に係るセキュリティゲートユニット１００がイベント用施設のイベント会場出入口に設置された場合を例に挙げて説明する。また、実施形態２に係るセキュリティゲート２が駅における所定の窓口付近に設置された場合を例に挙げて説明する。但し、本発明の一態様に係るセキュリティゲートおよびセキュリティゲートユニットを設置可能な場所・施設は、上記の場合に限定されない。設置可能なその他の場所・施設の例としては、展望台・映画館等のチケット売り場、銀行のＡＴＭ（Automatic Teller Machine：現金自動預け払い機）、空港の入国審査前エリアなどが想定される。
【００３６】
＜セキュリティゲートおよびセキュリティゲートユニットの概要＞
まず、図１を参照して、本発明の一実施形態に係るセキュリティゲート１およびセキュリティゲートユニット１００の概要について説明する。図１は、セキュリティゲートユニット１００の概略図である。
【００３７】
セキュリティゲート１は、通行を許可されたイベント用施設（所定の施設）の利用者７００だけが通行できるような機能・構造を有するゲートであり、不正入場を防止するためのものである。後述のセキュリティゲート２についても同様である。図１に示すように、セキュリティゲート１は、プレート１０および円柱形状のポール２０を備えている。このプレート１０およびポール２０（支柱）と、後述する円柱形状のベルトパーテーション２００（ポールパーテーション）およびベルト２０１とによって、利用者７００が通行する通路３００が形成される。
【００３８】
セキュリティゲートユニット１００は、多数の利用者７００が利用する大規模イベント施設等での不正入場を防止するためのユニットである。図１に示すように、セキュリティゲートユニット１００は、６体のセキュリティゲート１で構成されている。また、セキュリティゲートユニット１００は、６体のセキュリティゲート１に分解することが可能であり、かつプレート１０からポール２０を取り外すことが可能である。それゆえ、セキュリティゲートユニット１００は、分解し、コンパクトにまとめて保管・収納することができる。
【００３９】
なお、本実施形態にて説明したセキュリティゲート１の個数（６体）はあくまで一例である。セキュリティゲートユニット１００を構成するセキュリティゲート１の個数は、施設の規模・利用者７００の多少に応じて任意に変更できる。
【００４０】
セキュリティゲートユニット１００の組み立てにおいては、床５００の上に配置された状態において隣り合う２つのプレート１０を、該２つのプレート１０における長手方向の側面を互いに接触させることで連結させる。このようにして６つのプレート１０を全て連結し、各プレート１０にポール２０を立てることで、セキュリティゲートユニット１００の組み立てが完了する。
【００４１】
また、連結する２つのプレート１０のそれぞれの連結面（長手方向の側面）には導通部位（不図示）が設けられており、セキュリティゲートユニット１００において最も端に配置されるプレート１０の長手方向の端面には電源接続部１０１が設けられている。セキュリティゲートユニット１００を組み立てた後、電源接続部１０１と外部電源（不図示）と電気的に接続することにより、セキュリティゲートユニット１００は作動可能となる。
【００４２】
（プレート）
プレート１０は、イベント用施設の床５００の上に配置される部材であり、２つの第１本体部１０ａ−１、第２本体部１０ａ−２、４つの第１昇降部１０ｂ−１および２つの第２昇降部１０ｂ−２に分解することができる（図３の（ｃ）参照）。プレート１０は、一旦床５００に設置した後でも、適宜取り外して分解することが可能である。
【００４３】
第１本体部１０ａ−１は板状の部材であり、その上面（プレート１０を床５００の上に配置した状態において鉛直上側を向く面）には進行方向表示部１０ｅが設けられている。進行方向表示部１０ｅは、平面視で三角形状の３つの表示部位で構成されており、これら３つの表示部位の頂点が全て同一方向を向くように、該３つの表示部位が第１本体部１０ａ−１の上面において長手方向に直列的に配置されている。プレート１０を床５００に設置する際は、３つの表示部位の頂点が利用者７００の進行すべき方向を向くように、第１本体部１０ａ−１を床５００の上に配置する。
【００４４】
第２本体部１０ａ−２も板状の部材であり、第１本体部１０ａ−１と同一の外形・大きさとなっている。第２本体部１０ａ−２の上面には、ポール２０の一端に設けられた円柱形状の第２連結部２０ａが差し込まれる（支柱が連結される）、穴状の第１連結部１０ｄが形成されている。
【００４５】
第１昇降部１０ｂ−１は略板状の部材であり、側面視で略直角三角形状となっている。また、第１昇降部１０ｂ−１の上面（プレート１０におけるポール２０が取付けられる側の面）には第１表示部１０ｃが設けられている。第２昇降部１０ｂ−２は第１昇降部１０ｂ−１と同一の外形・大きさの部材である。
【００４６】
プレート１０を組み立てる際は、第１本体部１０ａ−１における短手方向の側面のそれぞれに第１昇降部１０ｂ−１を連結させ、第２本体部１０ａ−２における短手方向の側面のそれぞれに第２昇降部１０ｂ−２を連結させる。
【００４７】
第１表示部１０ｃは、通路３００の通行可否に係る判定結果を表示する。第１表示部１０ｃは、平面視で円形状の３つの表示部位で構成されており、これら３つの表示部位が第１昇降部１０ｂ−１の上面において短手方向に直列的に配置されている。また、３つの表示部位は光源としてＬＥＤを備えており、利用者７００の通行プロセスに応じて、適宜３つの表示部位のＬＥＤが緑色あるいは赤色に点灯する。
【００４８】
なお、第１表示部１０ｃの形状・光源の種類・表示態様等は上述の場合に限定されず、通路３００の通行可否に係る判定結果を利用者７００が認識できるのであれば任意に設計変更することができる。このことは、後述の第２表示部２０ｃ、第２メイン表示部２１ｃ−１および第２サブ表示部２１ｃ−２についても同様である。
【００４９】
また、第１表示部１０ｃのみならず、進行方向表示部１０ｅについても通路３００の通行可否に係る判定結果が表示されるようにしてもよい。例えば、進行方向表示部１０ｅを構成する３つの表示部位のそれぞれに光源を設け、通行可能の場合は光源が緑色に点灯し、通行不可の場合は光源が赤色に点灯するようにしてもよい。
【００５０】
（ポール）
ポール２０は、上述のように第２連結部２０ａを第２本体部１０ａ−２の第１連結部１０ｄの差し込むことで第２本体部１０ａ−２と連結し、プレート１０に立てられる。ポール２０には第２連結部２０ａの他、係止部２０ｂ、第２表示部２０ｃ、認証部２０ｄおよびフラップ３０が設けられている（図３の（ｃ）参照）。
【００５１】
係止部２０ｂは、ベルトパーテーション２００のベルト２０１を引っ掛けるための部位である。具体的には、ベルトパーテーション２００を床５００に設置し、該ベルトパーテーション２００から繰り出したベルト２０１の先端を係止部２０ｂに引っ掛ける。これにより、特定のセキュリティゲート１の通路３００と、該特定のセキュリティゲート１と隣り合う別のセキュリティゲート１の通路３００とを物理的に仕切ることができる。
【００５２】
なお、上述のように、セキュリティゲート１とベルトパーテーション２００との組合せで通路３００を形成する必要は必ずしもない。ベルトパーテーション２００の代わりに、例えば、ロープまたはチェーンを備えたポールパーテーションを通路３００の形成に用いてもよい。これらの場合、係止部２０ｂは、ロープの先端またはチェーンの先端が引っ掛かるような形状・構造となる。
【００５３】
第２表示部２０ｃは、第１表示部１０ｃと同様に通路３００の通行可否に係る判定結果を表示するものであり、ポール２０における、第２連結部２０ａが設けられている側の端部と反対側の端部の側面に設けられている。通行可能の場合は第２表示部２０ｃの表示画面に矢印（矢印の先端が紙面向かって左方向を向く：図５参照）が表示され、通行不可の場合は上記表示画面に「×」印が表示される。また、認証部２０ｄでの認証操作が可能な状態の場合には、第２表示部２０ｃの表示画面にチケットを表す図形（四角形）が表示される。
【００５４】
認証部２０ｄは、利用者７００がイベント会場に入場する権利（以下、「入場権」と略記する）を有しているか否かを確認するものであり、ポール２０における、第２連結部２０ａが設けられている側の端部と反対側の端部の端面に設けられている。具体的には、認証部２０ｄとしてバーコードリーダが用いられており、利用者７００が所持しているチケットのバーコードを認証部２０ｄにかざすことで認証部２０ｄがバーコードを読み取り、入場権の有無を確認する。
【００５５】
利用者７００が入場権を有していることを確認した場合、認証部２０ｄは、確認結果（判定結果）を通行可能情報として制御部４０に送信する。一方、利用者７００が入場権を有していないことを確認した場合、認証部２０ｄは、確認結果（判定結果）を通行不可情報として制御部４０に送信する。ここで、通行可能情報と通行不可情報とで通行可否情報が構成される。
【００５６】
なお、認証部２０ｄは、利用者７００が入場権を有しているか否かの判定と併せて、通路３００の通行可否に係る判定結果を表示してもよい。例えば、認証部２０ｄにおけるバーコードリーダの配置箇所付近に表示画面（不図示）を設け、利用者７００が入場権を有していることを確認した場合、第２表示部２０ｃの表示画面に表示されるのと同様の矢印を認証部２０ｄの表示画面に表示させてもよい。あるいは、認証部２０ｄの表示画面にＬＥＤを設け、第１表示部１０ｃと同様に緑色点灯させてもよい。
【００５７】
一方、利用者７００が入場券を有していないことを確認した場合、第２表示部２０ｃの表示画面に表示されるのと同様の「×」印を認証部２０ｄの表示画面に表示させてもよい。あるいは、認証部２０ｄの表示画面に設けられたＬＥＤを、第１表示部１０ｃと同様に赤色点灯させてもよい。
【００５８】
フラップ３０は、利用者７００の誤った通路進入を物理的に阻止するための板状の部材であり、ポール２０の側面に回動可能に設けられている。また、フラップ３０は、ポール２０から取り外すことが可能である。フラップ３０は、通行可否情報を受信した制御部４０の回動制御によって通路３００を開閉する。
【００５９】
なお、認証部２０ｄとしてバーコードリーダを用いることは必須ではなく、利用者７００が所持している情報記録媒体の種類に応じて適宜変更してもよい。例えば、バーコードリーダの代わりにカードリーダを用いてもよい。
【００６０】
＜セキュリティゲートの機能的構成＞
次に、図２および図３を参照して、本発明の一実施形態に係るセキュリティゲート１の機能的構成について説明する。図２は、セキュリティゲート１の機能的構成を示す機能ブロック図である。図３は、セキュリティゲート１の機能的構成の他の例を示す機能ブロック図である。図２に示すように、セキュリティゲート１のポール２０には、制御部４０が内蔵されている。
【００６１】
制御部４０は、セキュリティゲート１の各部を統括的に制御する。また、制御部４０は、認証部２０ｄから通行可否情報（通行可能情報および通行不可情報）を受信することにより、第１表示部１０ｃおよび第２表示部２０ｃのそれぞれに通行可否に係る判定結果を表示させる。さらには、通行可否情報に基づいてフラップ３０の回動を制御する。
【００６２】
具体的には、認証部２０ｄから通行可能情報を受信した場合、制御部４０は、イベント会場入口側に設置された第１昇降部１０ｂ−１の第１表示部１０ｃが緑色に発光するよう、ＬＥＤの点灯を制御する。同様に、イベント会場出口側に設置された第１昇降部１０ｂ−１の第１表示部１０ｃについても緑色に発光するよう、ＬＥＤの点灯を制御する。また、制御部４０は、ポール２０に設けられた第２表示部２０ｃの表示画面に矢印が表示されるよう、第２表示部２０ｃの表示を制御する。さらに、制御部４０は、フラップ３０が開いて通路３００が開放されるよう、フラップ３０の回動を制御する。
【００６３】
一方、認証部２０ｄから通行不可情報を受信した場合、制御部４０は、イベント会場入口側に設置された第１昇降部１０ｂ−１の第１表示部１０ｃが赤色に発光するよう、ＬＥＤの点灯を制御する。同様に、イベント会場出口側に設置された第１昇降部１０ｂ−１の第１表示部１０ｃについても赤色に発光するよう、ＬＥＤの点灯を制御する。また、制御部４０は、ポール２０に設けられた第２表示部２０ｃの表示画面に「×」印が表示されるよう、第２表示部２０ｃの表示を制御する。さらに、制御部４０は、フラップ３０が閉じて通路３００が塞がれるよう、フラップ３０の回動を制御する。
【００６４】
また、認証部２０ｄから通行可否情報を受信しない状態においては、制御部４０は、イベント会場入口側に設置された第１昇降部１０ｂ−１の第１表示部１０ｃが緑色に発光するよう、ＬＥＤの点灯を制御する。一方、イベント会場出口側に設置された第１昇降部１０ｂ−１の第１表示部１０ｃについては赤色に発光するよう、ＬＥＤの点灯を制御する。また、制御部４０は、ポール２０に設けられた第２表示部２０ｃの表示画面に図形（四角形）が表示されるよう、第２表示部２０ｃの表示を制御する。さらに、制御部４０は、フラップ３０が回動しないようにして、フラップ３０が閉じた状態すなわち通路３００が塞がれた状態を維持する。
【００６５】
なお、制御部４０は、図３に示すように外部の入退出管理装置９００と無線／有線接続されることで、入退出管理装置９００から送信された通行可否情報に基づいて、第１・第２表示部１０ｃ・２０ｃの表示、およびフラップ３０の回動を制御してもよい。具体的には、入退出管理装置９００は認証部２０ｄとも無線／有線接続され、認証部２０ｄが読み取った入場チケットやＩＣカードなどの識別情報を認証部２０ｄから受信することで利用者７００の通行可否を判断する。そして、判断結果すなわち通行可否情報が制御部４０に送信されることにより、制御部４０は上記の各制御を行う。この場合、認証部２０ｄは入場チケット等の有効性（利用者７００の入場権）を判断しない。入退出管理装置９００は、セキュリティゲート１を構成するいずれかの部に内蔵されていてもよい。
【００６６】
上述のように、認証部２０ｄは、該認証部２０ｄ自体で利用者７００の入場権の有無を確認してもよいし、認証部２０ｄ自体は識別情報を読み取るのみで、利用者７００の入場権の有無の確認を入退出管理装置９００などの外部通信装置が行ってもよい。換言すれば、認証部２０ｄは、利用者７００がイベント会場（所定の施設）に入場する権利を有しているか否かを確認するために用いられる部位であればよい。
【００６７】
また、図２および図３では、制御部４０はポール２０に内蔵されているが、例えばプレート１０に内蔵されていてもよい。また例えば、セキュリティゲート１のいずれかの部に取付けられた外部装置、あるいはセキュリティゲート１の通信部（不図示）を介して利用するネットワークサーバーであっても構わない。さらには、セキュリティゲート１に制御部４０が設けられている必要もなく、例えば、外部の情報処理装置とセキュリティゲート１との間での通行可否情報の送受信によって、各表示部の表示およびフラップ３０の回動が制御されてもよい。これらのことは、後述の制御部４１についても同様である。
【００６８】
＜セキュリティゲートユニットの使用方法＞
次に、図４を参照して、セキュリティゲートユニット１００の使用方法について説明する。図４の（ａ）は、セキュリティゲートユニット１００の保管場所の一例を示す図である。図４の（ｂ）は、セキュリティゲートユニット１００の収納態様の一例を示す図である。図４の（ｃ）は、セキュリティゲートユニット１００の組み立て方法の一例を示す図である。
【００６９】
セキュリティゲートユニット１００を使用しない場合、図４の（ａ）および（ｂ）に示すように、セキュリティゲートユニット１００を構成する各部品は、３つの収納用ボックス１０２に分けて収納されている。具体的には、１つの収納用ボックス１０２につき、２体分のセキュリティゲート１の部品（４つの第１本体部１０ａ−１、２つの第２本体部１０ａ−２、８つの第１昇降部１０ｂ−１、４つの第２昇降部１０ｂ−２、２本のポール２０、２枚のフラップ３０）が収納されている。
【００７０】
そして、上記部品が収納された収納用ボックス１０２を３段に重ねて、所定の保管場所に保管する。セキュリティゲートユニット１００は、このように各部品をコンパクトにまとめて収納できることから、図４の（ａ）に示すような比較的狭いスペースに保管しておくことができる。
【００７１】
セキュリティゲートユニット１００を使用する場合、まず６体分のセキュリティゲート１を図４の（ｃ）に示す方法で組み立てる。すなわち、２つの第１本体部１０ａ−１について、それぞれの長手方向の側面を接触させることで連結させ、２つの第１本体部１０ａ−１について、それぞれの短手方向の側面に第１昇降部１０ｂ−１を取り付ける。また、第１本体部１０ａ−１における長手方向の他の側面に第２本体部１０ａ−２の長手方向の側面を接触させることで、第１本体部１０ａ−１と第２本体部１０ａ−２とを連結させる。
【００７２】
さらに、第２本体部１０ａ−２の短手方向の側面に第２昇降部１０ｂ−２を取り付け、第２本体部１０ａ−２の第１連結部１０ｄにポール２０の第２連結部２０ａを差し込むことで、セキュリティゲート１の組み立てが完了する。そして、このようなセキュリティゲート１の組み立てを６体分行い、完成した６体分のセキュリティゲート１を上述のように連結させることで、セキュリティゲートユニット１００の組み立てが完了する。
【００７３】
＜第１表示部および第２表示部の表示態様＞
次に、図５を参照して、第１表示部１０ｃおよび第２表示部２０ｃの表示態様について説明する。図５の（ａ）は、セキュリティゲート１が通行可能となった場合における、通行プロセス毎の第１・第２表示部１０ｃ・２０ｃの表示態様の一例を示す表である。図５の（ｂ）は、セキュリティゲート１が通行不可の場合における、通行プロセス毎の第１・第２表示部１０ｃ・２０ｃの表示態様の一例を示す表である。
【００７４】
（セキュリティゲートが通行可能となった場合）
図５の（ａ）に示すように、イベント会場に入場しようとする利用者７００が認証部２０ｄにチケットをかざす前の状態（以下、「利用者待ち状態」と表現する）、すなわち制御部４０が認証部２０ｄから通行可否情報を受信しない状態では、イベント会場入口側に設置された第１昇降部１０ｂ−１の第１表示部１０ｃは、緑色に発光する。一方、イベント会場出口側に設置された第１昇降部１０ｂ−１の第１表示部１０ｃは、赤色に発光する。また、ポール２０に設けられた第２表示部２０ｃの表示画面には、図形（四角形）が表示される。
【００７５】
次に、利用者７００が認証部２０ｄにチケットをかざしてから認証部２０ｄが該チケットの有効性を確認するまでの状態（以下、「利用者認証待ち状態」と表現する）では、上記２つの第１表示部１０ｃおよび第２表示部２０ｃの表示態様は、「利用者待ち状態」の表示態様と同様となる。
【００７６】
次に、認証部２０ｄによってチケットが有効であることが確認された場合、すなわち制御部４０が認証部２０ｄから通行可能情報を受信した状態（以下、「有効確認状態」と表現する）では、イベント会場入口側に設置された第１昇降部１０ｂ−１の第１表示部１０ｃは、緑色に発光したままとなる。イベント会場出口側に設置された第１昇降部１０ｂ−１の第１表示部１０ｃについても、緑色に発光する。また、第２表示部２０ｃの表示画面には、矢印が表示される。
【００７７】
次に、フラップ３０が開く方向に回動している最中（以下、「第１回動状態」と表現する）、および前記フラップ３０の回動が終了した後から利用者７００が通路３００の通行を終えるまでの状態（以下、「通行状態」）では、上記２つの第１表示部１０ｃおよび第２表示部２０ｃの表示態様は、「有効確認状態」の表示態様と同様となる。
【００７８】
なお、利用者７００が通路３００の通行を終えた否かは、例えばプレート１０の上面の略全ての領域に感圧センサ（不図示）を配置することによって検知することができる。検知結果は制御部４０に送信される。利用者７００が通路３００の通行を終えたことは、感圧センサの他、例えば、ポール２０に反射型の光電センサ（不図示）を設け、通路３００における所定の空間エリアに利用者７００が存在しなくなったことを検知することで判断してもよい。また例えば、投受光の光電センサ（不図示）を２つのポール２０に対で設け、上記所定の空間エリアに利用者７００が存在しなくなったことを検知することで判断してもよい。
【００７９】
次に、開いたフラップ３０が閉じる方向に回動している最中（以下、「第２回動状態」と表現する）では、イベント会場入口側に設置された第１昇降部１０ｂ−１の第１表示部１０ｃは、赤色に発光する。イベント会場出口側に設置された第１昇降部１０ｂ−１の第１表示部１０ｃについても、赤色に発光する。また、第２表示部２０ｃの表示画面には、「×」印が表示される。第２回動状態終了後、所定時間経過することで、上記２つの第１表示部１０ｃおよび第２表示部２０ｃの表示態様は再び「利用者待ち状態」の表示態様となる。
【００８０】
（セキュリティゲートが通行不可の場合）
図５の（ｂ）に示すように、「利用者待ち状態」および「利用者認証待ち状態」における、イベント会場入口側に設置された第１昇降部１０ｂ−１の第１表示部１０ｃ、イベント会場出口側に設置された第１昇降部１０ｂ−１の第１表示部１０ｃ、およびポール２０に設けられた第２表示部２０ｃの表示態様は、図５の（ａ）と同様である。
【００８１】
次に、認証部２０ｄによってチケットが無効であることが確認された場合、すなわち制御部４０が認証部２０ｄから通行不可情報を受信した状態（以下、「無効確認状態」と表現する）では、イベント会場入口側に設置された第１昇降部１０ｂ−１の第１表示部１０ｃは、赤色に発光する。
【００８２】
一方、イベント会場出口側に設置された第１昇降部１０ｂ−１の第１表示部１０ｃは、赤色に発光したままとする。また、第２表示部２０ｃの表示画面には、「×」印が表示される。フラップ３０は閉じた状態、すなわち通路３００を塞いだ状態を維持する。無効確認状態終了後、所定時間経過することで、上記２つの第１表示部１０ｃおよび第２表示部２０ｃの表示態様は再び「利用者待ち状態」の表示態様となる。
【００８３】
＜セキュリティゲートの特徴的な動作＞
次に、図６を参照して、セキュリティゲート１の特徴的な動作について説明する。図６は、セキュリティゲート１の特徴的な動作の流れの一例を示すフローチャートである。
【００８４】
なお、図６に示すフローチャートにおいて、イベント会場入口側に設置された第１昇降部１０ｂ−１の第１表示部１０ｃが緑色発光、イベント会場出口側に設置された第１昇降部１０ｂ−１の第１表示部１０ｃが赤色発光、ポール２０に設けられた第２表示部２０ｃの表示画面が図形（四角形）の場合を第１態様とする。また、上記２つの第１表示部１０ｃが緑色発光、第２表示部２０ｃの表示画面が矢印の場合を第２態様とする。さらに、上記２つの第１表示部１０ｃが赤色発光、第２表示部２０ｃの表示画面が「×」印の場合を第３態様とする。
【００８５】
まず、利用者７００がセキュリティゲート１のプレート１０上、あるいは該プレート１０付近で入場待ちすることにより、図６に示すフローチャートの動作が開始される（ＳＴＡＲＴ）。ステップＳ１０１（以下、「ステップ」を省略する）では、「利用者待ち状態」であることから、第１・第２表示部１０ｃ・２０ｃの各表示態様は第１態様となっている。
【００８６】
次に、利用者７００が認証部２０ｄにチケットをかざすことにより（Ｓ１０２：「利用者認証待ち状態」）、認証部２０ｄがチケットの有効性を確認する（Ｓ１０３：「利用者認証待ち状態」）。Ｓ１０３でＹＥＳと判定した場合、認証部２０ｄから通行可能情報を受信した制御部４０は、第１・第２表示部１０ｃ・２０ｃの各表示態様を第１態様から第２状態に切り替える（Ｓ１０４：「有効確認状態」）。制御部４０は、通行状態が終わるまで第２態様を維持する。
【００８７】
一方、Ｓ１０３でＮＯと判定した場合、認証部２０ｄから通行不可情報を受信した制御部４０は、第１・第２表示部１０ｃ・２０ｃの各表示態様を第１態様から第３状態に切り替える（Ｓ１１０：「無効確認状態」）。第３態様への切り替え後、所定時間経過することで、制御部４０は第１・第２表示部１０ｃ・２０ｃの各表示態様を再び第１態様にする。
【００８８】
第２態様への切り替え後、制御部４０による回動制御によってフラップ３０が開く方向に回動する（Ｓ１０５：「第１回動状態」）。なお、Ｓ１０４の動作およびＳ１０５の動作について、動作の順番を入れ替えてもよい。上記フラップ３０の回動が完了し、プレート１０の感圧センサによって利用者７００の通行終了が検知されると（Ｓ１０６）、感圧センサから検知結果を受信した制御部４０は、第１・第２表示部１０ｃ・２０ｃの各表示態様を第２態様から第３態様に切り替える（Ｓ１０７）。また、制御部４０は、フラップ３０が閉まる方向に回動するよう、該フラップ３０の回動を制御する（Ｓ１０８：「第２回動状態」）。
【００８９】
フラップ３０が閉じてから所定時間経過後、制御部４０は第１・第２表示部１０ｃ・２０ｃの各表示態様を再び第１態様にする（Ｓ１０９：「利用者待ち状態」、ＥＮＤ）。
【００９０】
なお、図６のフローチャートでは、認証部２０ｄがチケットの有効性を判定し、制御部４０に通行可否情報を送信する処理（Ｓ１０３、Ｓ１０４およびＳ１１０参照）となっているが、外部の入退出管理装置９００が認証部２０ｄで読み取られたチケットの識別情報から利用者７００の通行可否を判断して、通行可否情報を制御部４０に送信する処理を行ってもよい。
【００９１】
〔実施形態２〕
本発明の他の実施形態について、図７〜図１１に基づいて説明すれば、以下のとおりである。なお、説明の便宜上、上記実施形態にて説明した部材と同じ機能を有する部材については、同じ符号を付記し、その説明を省略する。
【００９２】
本実施形態に係るセキュリティゲート２は、第２表示部２０ｃに代えて、第２メイン表示部２１ｃ−１および第２サブ表示部２１ｃ−２がポール２０に設けられている点で、実施形態１に係るセキュリティゲート１と異なる。また、本実施形態に係るセキュリティゲート２は、制御部４０に代えて制御部４１がポール２０に内蔵されている点でも、実施形態１に係るセキュリティゲート１と異なる。さらに、本実施形態に係るセキュリティゲート２は、ポール２０に認証部２０ｄが設けられていない点でも、実施形態１に係るセキュリティゲート１と異なる。
【００９３】
＜セキュリティゲートの概要＞
まず、図７および図８を参照して、本発明の一実施形態に係るセキュリティゲート２の概要について説明する。図７は、セキュリティゲートユニット１００の概略図である。図８は、セキュリティゲート２における、各表示部の表示態様およびフラップ３０の回動態様の一例を示す図である。
【００９４】
図７に示すように、セキュリティゲート２は、駅における所定の窓口付近に設置される。具体的には、セキュリティゲート２は、プレート１０が上記窓口付近の床６００の上に配置され、プレート１０にポール２０が立てられることによって上記窓口付近に設置される。
【００９５】
また、ポール２０の係止部２０ｂにベルトパーテーション２００から繰り出したベルト２０１の先端を引っ掛け、他の複数のベルトパーテーション２００についてもそれぞれベルト２０１で繋ぐことで、平面視でコ字形状の通路４００が形成されている。
【００９６】
図８に示すように、ポール２０における、第２連結部２０ａが設けられている側の端部と反対側の端部の端面には、第２メイン表示部２１ｃ−１が設けられている。第２メイン表示部２１ｃ−１の表示画面には、係員が対応可能となった窓口の窓口番号が表示される。
【００９７】
また、ポール２０における、第２連結部２０ａが設けられている側の端部と反対側の端部の側面には、第２サブ表示部２１ｃ−２が設けられている。特定の窓口で係員が対応可能となった場合、第２サブ表示部２１ｃ−２の表示画面には特定の窓口が存在する方向、換言すれば、通路４００の通行後に利用者７００が進行すべき方向が表示される。
【００９８】
図７および図８に示す例では、第２メイン表示部２１ｃ−１の表示画面に窓口番号「２」が表示されている。ここで、窓口番号「２」の窓口はセキュリティゲート２に対して紙面向かって左側の位置にあることから、第２サブ表示部２１ｃ−２の表示画面には、紙面向かって左方向を指す矢印「←」が表示される。また、通路４００の通行が可能となったことから、フラップ３０は図８に示すように通路４００を開く方向に回動する（図中の太線矢印参照）。
【００９９】
ここで、図７および図８には図示されていないものの、プレート１０にはセキュリティゲート２と外部電源（不図示）とを電気的に接続するための電源接続部が設けられている。また、プレート１０の第１連結部１０ｄの内側面、およびポール２０の第２連結部２０ａの側面のそれぞれには、第１連結部１０ｄと第２連結部２０ａとが連結した状態において互いに接触する導通部位が設けられている。この導通部位の接触によって、プレート１０とポール２０とが導通する。
【０１００】
なお、本実施形態では、第２サブ表示部２１ｃ−２の表示画面には通路４００の通行後に利用者７００が進行すべき方向が表示されるが、例えば実施形態１に係る第２表示部２０ｃと同様に、通路４００が通行可能であるという事実を示す矢印（図５参照）を、上記表示画面に表示させてもよい。この場合、上記矢印が示す方向と通路４００の通行後に利用者７００が進行すべき方向とは、必ずしも一致していなくてもよい。
【０１０１】
また例えば、上述のような利用者７００が進行すべき方向の表示は、第２メイン表示部２１ｃ−１でなされてもよい。この場合、係員が対応可能となった窓口の窓口番号の表示は、第２サブ表示部２１ｃ−２でなされる。
【０１０２】
さらには、第２メイン表示部２１ｃ−１および第２サブ表示部２１ｃ−２の両方がポール２０に設けられている必要は必ずしもない。例えば、第２メイン表示部２１ｃ−１のみがポール２０に設けられていてもよいし、第２サブ表示部２１ｃ−２のみがポール２０に設けられていてもよい。これらの場合、第２メイン表示部２１ｃ−１の表示画面、および第２サブ表示部２１ｃ−２の表示画面のそれぞれには、係員が対応可能となった窓口の窓口番号が表示される。
【０１０３】
＜セキュリティゲートの機能的構成＞
次に、図９を参照して、本発明の一実施形態に係るセキュリティゲート２の機能的構成について説明する。図９は、セキュリティゲート２の機能的構成を示す機能ブロック図である。図９に示すように、セキュリティゲート２のポール２０には、制御部４１が内蔵されている。
【０１０４】
制御部４１は、各窓口に設置された通信装置８００のいずれかから通行可能情報を受信することにより、第１表示部１０ｃ、第２メイン表示部２１ｃ−１および第２サブ表示部２１ｃ−２に通行可否に係る判定結果を表示させる。さらには、通行可能情報に基づいてフラップ３０の回動を制御する。ここで、通行可能情報には、該通行可能情報の送信元の通信装置８００が設置されている窓口の窓口番号が含まれる。
【０１０５】
具体的には、制御部４１は、通信装置８００のいずれかから通行可能情報を受信することにより、第２メイン表示部２１ｃ−１の表示画面に該通信装置８００が設置されている窓口の窓口番号を表示させる。また、制御部４１は第２サブ表示部２１ｃ−２の表示画面に利用者７００が進行すべき方向を示す矢印を表示させる。第１表示部１０ｃの表示制御、およびフラップ３０の回動制御については、制御部４０と同様である。
【０１０６】
一方、通信装置８００のいずれからも通行可能情報を受信しない状態、すなわち対応可能な窓口がない場合においては、制御部４１は、通路４００側に設置された第１昇降部１０ｂ−１の第１表示部１０ｃが赤色に発光するよう、ＬＥＤの点灯を制御する。窓口側に設置された第１昇降部１０ｂ−１の第１表示部１０ｃについても赤色に発光するよう、ＬＥＤの点灯を制御する。また、制御部４１は、第２メイン表示部２１ｃ−１の表示画面を消灯するとともに、第２サブ表示部２１ｃ−２の表示画面に「−」印を表示させる。フラップ３０の回動制御については、制御部４０と同様である。
【０１０７】
なお、本実施形態では、通信装置８００と制御部４１とが無線接続されている場合を想定して説明しているが、通信装置８００と制御部４１とは有線接続されていてもよい。図９に示すように、通信装置８００に送信部８００ａが内蔵されているとともに、制御部４１に受信部４１ａが内蔵されており、無線接続および有線接続のいずれの場合においても、送信部８００ａと受信部４１ａとの間で通行可能情報の送受信が行われる。
【０１０８】
また、制御部４１が複数の窓口から通行可能情報を順次受信した場合、制御部４１は、早く受信した通行可能情報の順番で、第２メイン表示部２１ｃ−１の表示画面に窓口番号を、第２サブ表示部２１ｃ−２の表示画面に矢印をそれぞれ表示させる。窓口番号・矢印の表示切替は、利用者７００が通路４００を通行し終えた旨の検知結果を制御部４１が受信することにより行われる。
【０１０９】
さらに、制御部４１から複数の窓口から通行可能情報を同時に受信した場合、制御部４１は、セキュリティゲート２からの距離が近い窓口に対応する通行可能情報の順番で、第２メイン表示部２１ｃ−１の表示画面に窓口番号を、第２サブ表示部２１ｃ−２の表示画面に矢印をそれぞれ表示させる。窓口番号・矢印の表示切替は、上述の通行可能情報を順次受信した場合と同様である。
【０１１０】
＜第１表示部、第２メイン表示部および第２サブ表示部の表示態様＞
次に、図１０を参照して、第１表示部１０ｃ、第２メイン表示部２１ｃ−１および第２サブ表示部２１ｃ−２の表示態様について説明する。図１０は、セキュリティゲート２が通行可能となった場合における、通行プロセス毎の第１表示部１０ｃ、第２メイン表示部２１ｃ−１および第２サブ表示部２１ｃ−２の表示態様の一例を示す表である。
【０１１１】
なお、図１０の各通行プロセスは、いずれか１つの窓口の通信装置８００から通行可能情報が送信された場合を想定している。図１１のフローチャートについても同様である。
【０１１２】
図１０に示すように、利用者７００が順番待ちをしている状態（以下、「順番待ち状態」と表現する）、すなわち制御部４１がいずれの通信装置８００からも通行可能情報を受信しない状態では、通路４００側に設置された第１昇降部１０ｂ−１の第１表示部１０ｃは、赤色に発光する。窓口側に設置された第１昇降部１０ｂ−１の第１表示部１０ｃについても、赤色に発光する。また、第２メイン表示部２１ｃ−１の表示画面は消灯され、第２サブ表示部２１ｃ−２には「−」印が表示される。
【０１１３】
次に、特定の窓口の通信装置８００から通行可能情報が送信されると、通路４００側に設置された第１昇降部１０ｂ−１の第１表示部１０ｃが、緑色に発光する。窓口側に設置された第１昇降部１０ｂ−１の第１表示部１０ｃについても、緑色に発光する。また、第２メイン表示部２１ｃ−１の表示画面には、上記特定の窓口の窓口番号（図１０では「２」）が表示される。第２サブ表示部２１ｃ−２の表示画面には、上記特定の窓口が存在する方向（図１０では「←」）が表示される。
【０１１４】
次に、第１回動状態および通行状態では、上記２つの第１表示部１０ｃ、第２メイン表示部２１ｃ−１および第２サブ表示部２１ｃ−２の表示態様は、特定の窓口の通信装置８００から通行可能情報が送信された時点の表示態様と同様となる。
【０１１５】
次に、第２回動状態では、通路４００側に設置された第１昇降部１０ｂ−１の第１表示部１０ｃは、赤色に発光する。窓口側に設置された第１昇降部１０ｂ−１の第１表示部１０ｃについても、赤色に発光する。また、第２メイン表示部２１ｃ−１の表示画面は消灯され、第２サブ表示部２１ｃ−２の表示画面には、「×」印が表示される。第２回動状態終了後、所定時間経過することで、上記２つの第１表示部１０ｃ、第２メイン表示部２１ｃ−１、および第２サブ表示部２１ｃ−２の表示態様は、再び「順番待ち状態」の表示態様となる。
【０１１６】
＜セキュリティゲートの特徴的な動作＞
次に、図１１を参照して、セキュリティゲート２の特徴的な動作について説明する。図１１は、セキュリティゲート２の特徴的な動作の流れの一例を示すフローチャートである。
【０１１７】
なお、図１１に示すフローチャートにおいて、通路４００側に設置された第１昇降部１０ｂ−１の第１表示部１０ｃが赤色発光、窓口側に設置された第１昇降部１０ｂ−１の第１表示部１０ｃが赤色発光、第２メイン表示部２１ｃ−１の表示画面が消灯、第２サブ表示部２１ｃ−２の表示画面が「−」の場合を第４態様とする。
【０１１８】
また、上記２つの第１表示部１０ｃが緑色点灯、第２メイン表示部２１ｃ−１の表示画面が窓口番号、第２サブ表示部２１ｃ−２の表示画面が矢印の場合を第５態様とする。さらに、上記２つの第１表示部１０ｃが赤色点灯、第２メイン表示部２１ｃ−１の表示画面が消灯、第２サブ表示部２１ｃ−２の表示画面が「×」印の場合を第６態様とする。
【０１１９】
まず、利用者７００がセキュリティゲート１のプレート１０上、あるいは該プレート１０付近で順番待ちすることにより、図１１に示すフローチャートの動作が開始される（ＳＴＡＲＴ）。Ｓ２０１では、「順番待ち状態」であることから、第１表示部１０ｃ、第２メイン表示部２１ｃ−１および第２サブ表示部２１ｃ−２の各表示態様は第４態様となっている。
【０１２０】
次に、制御部４１が特定の窓口の通信装置８００から通行可能情報を受信すると（Ｓ２０２）、制御部４１は、第１表示部１０ｃ、第２メイン表示部２１ｃ−１および第２サブ表示部２１ｃ−２の各表示態様を第４態様から第５態様に切り替える（Ｓ２０３）。制御部４１は、通行状態が終わるまで第５態様を維持する。
【０１２１】
第５態様への切り替え後、制御部４１による回動制御によってフラップ３０が開く方向に回動する（Ｓ２０４：「第１回動状態」）。上記フラップ３０の回動が完了し、プレート１０の感圧センサによって利用者７００の通行終了が検知されると（Ｓ２０５）、感圧センサから検知結果を受信した制御部４１は、第１表示部１０ｃ、第２メイン表示部２１ｃ−１および第２サブ表示部２１ｃ−２の各表示態様を第５態様から第６態様に切り替える（Ｓ２０６）。また、制御部４１は、フラップ３０が閉まる方向に回動するよう、該フラップ３０の回動を制御する（Ｓ２０７：「第２回動状態」）。
【０１２２】
フラップ３０が閉じてから所定時間経過後、制御部４１は、第１表示部１０ｃ、第２メイン表示部２１ｃ−１および第２サブ表示部２１ｃ−２の各表示態様を再び第４態様にする（Ｓ２０８：「順番待ち状態」、ＥＮＤ）。
【０１２３】
〔ソフトウェアによる実現例〕
セキュリティゲート１・２の制御ブロック（特に制御部４０・４１）は、集積回路（ＩＣチップ）等に形成された論理回路（ハードウェア）によって実現してもよいし、ＣＰＵ（Central Processing Unit）を用いてソフトウェアによって実現してもよい。
【０１２４】
後者の場合、セキュリティゲート１・２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１２６】
１、２          セキュリティゲート
１０            プレート
１０ｃ          第１表示部
１０ｄ          第１連結部
２０、２１      ポール（支柱）
２０ａ          第２連結部
２０ｂ          係止部
２０ｃ          第２表示部
２１ｃ−１      第２メイン表示部（第２表示部）
２１ｃ−２      第２サブ表示部（第２表示部）
３０            フラップ
４０、４１      制御部
１００          セキュリティゲートユニット
２００          ベルトパーテーション（ポールパーテーション）
２０１          ベルト
３００、４００  通路
５００、６００  床
７００          利用者
【図１】
2018128918.tif 000003
【図２】
2018128918.tif 000004
【図３】
2018128918.tif 000005
【図４】
2018128918.tif 000006
【図５】
2018128918.tif 000007
【図６】
2018128918.tif 000008
【図７】
2018128918.tif 000009
【図８】
2018128918.tif 000010
【図９】
2018128918.tif 000011
【図１０】
2018128918.tif 000012
【図１１】
2018128918.tif 000013